(57)【特許請求の範囲】
【請求項１】
上部に下水を流入させる流入管が設けられたマンホール本体と、該マンホール本体内に垂直状態で配置され、内部に設けられた螺旋案内路によって流下する下水が減衰されるようにされ、マンホール本体内の略底部まで延びた縦管とからなる溜池付き組立てマンホールの組立方法であって、
工場にて、前記マンホール本体に、前記流入管の流入口の周囲を囲うような堰と底壁とからなる溜池を設け、該溜池の底壁に、前記縦管の上端部が接続される貫通孔を設け、該貫通孔の壁面にゴム輪を装着し、施工現場にて、該貫通孔に、前記縦管を挿通した後、該縦管の上端部を前記ゴム輪を介して接続することを特徴とする溜池付き組立てマンホールの組立方法。
【発明の詳細な説明】
【０００１】
【発明の属する技術分野】
本発明は、マンホール本体内に、内部に設けられた螺旋案内路によって流下する下水が減衰される自然流下式の縦管を垂直状態で配置するように組み立てることができる溜池付き組立てマンホールの組立方法に関するものである。
【０００２】
【従来の技術】
従来、マンホール内に自然流下によって下水を流入させる際に、自然流下する下水を減衰させるために、例えば特開平８−４１９１５号公報に開示されているように、マンホール内に下水用縦管（ドロップシャフト）を配置する方法が実施されている。
【０００３】
この方法では、図７に示すように、下水用縦管ｃの内部に、下水が直線的に流下しないように屈曲させる螺旋案内路ｇが設けられており、この螺旋案内路ｇに沿って下水が流下することにより、下水は減衰される。減衰された下水は下水用縦管ｃの下端部の流出管ｅからマンホールｂ内に流出する。従って、マンホールｂの底部等に、流下する下水が強く衝突するおそれがなく、マンホールｂの底部の摩耗が抑制される。
【０００４】
マンホールｂ内に垂直状態で配置された下水用縦管ｃは、マンホールｂ内に水平状態で進入した流入管ａの端部に接続されるようになっている。前記公報においても、マンホールｂ内に配置された下水用縦管ｃの上部が流入管ａと十字状の管継手ｄによって接続されている。
【０００５】
しかしながら、このような方法では、十字状の管継手ｄによって流入管ａに下水用縦管ｃの上部を接続する必要があるために、接続のためのスペースが必要であり、下水用縦管ｃをマンホールｂの壁際に寄せることができないため、マンホールｂの寸法が大きくなってしまうという問題点があった。
【０００６】
又、別の接続方法として、コンクリート製マンホール内の下水流入部に溜池を設けて、その底から縦管に下水を落下させるようにするものも考えられる。しかしながら、この方法の場合には、施工現場にて、マンホール壁につながる鉄筋を組み込み、型枠で囲った後にコンクリートを打設するようにして、溜池を構成する堰と底壁を打設しなければならず、非常に手間のかかる作業と、施工工期が長くなるという問題点があり、実際には採用されるには至っていない。
【０００７】
【発明が解決しようとする課題】
本発明は、上記のような従来の問題点を解消し、縦管をマンホール本体の壁際に寄せるように施工することができて、マンホール径を小さくすることができ、施工現場にて、コンクリートの打設を要することなく、容易に組み立て施工することができる溜池付き組立てマンホールの組立方法を提供することを目的としてなされたものである。
【０００８】
【課題を解決するための手段】
本発明は、
上部に下水を流入させる流入管が設けられたマンホール本体と、該マンホール本体内に垂直状態で配置され、内部に設けられた螺旋案内路によって流下する下水が減衰されるようにされ、マンホール本体内の略底部まで延びた縦管とからなる溜池付き組立てマンホールの組立方法であって、
工場にて、前記マンホール本体に、前記流入管の流入口の周囲を囲うような堰と底壁とからなる溜池を設け、該溜池の底壁に、前記縦管の上端部が接続される貫通孔を設け、該貫通孔の壁面にゴム輪を装着し、施工現場にて、該貫通孔に、前記縦管を挿通した後、該縦管の上端部を前記ゴム輪を介して接続することを特徴とする溜池付き組立てマンホールの組立方法である。
【０００９】
【作用】
本発明の溜池付き組立てマンホールの組立方法は、工場にて、前記マンホール本体に、前記流入管の流入口の周囲を囲うような堰と底壁とからなる溜池を設け、該溜池の底壁に、前記縦管の上端部が接続される貫通孔を設け、該貫通孔の壁面にゴム輪を装着し、施工現場にて、該貫通孔に、前記縦管を挿通した後、該縦管の上端部を前記ゴム輪を介して接続することにより、縦管をマンホール本体の壁際に寄せるように施工することができて、マンホール径を小さくすることができ、又、溜池付きマンホール本体を工場で製作することができるので、施工現場にてコンクリートを打設してマンホール内に溜池を設けるような煩雑な作業を行う必要がなく、設置した溜池付きマンホール本体内に縦管を装着するだけの作業で施工することができるので、施工性に優れており、施工工期を短縮することができる。
【００１０】
【発明の実施の形態】
以下、本発明の実施の形態を図面を参照して説明する。図１は本発明の溜池付き組立てマンホールの一例の組立て後の状態を示す断面図であり、図２は図１に示す溜池付き組立てマンホールに使用されるマンホール本体の要部を示す断面図であり、図３は図１の要部を示す断面図である。
【００１１】
図１に示すように、この例の溜池付き組立てマンホールは、マンホール本体１と縦管２とからなる。縦管２は、縦管本体部２１と、空気芯筒２３と、螺旋案内路２２，２２′とからなる。縦管本体部２１の上部内には、略中心部に、内部が中空とされた空気芯筒２３が、その上端部から突出するように立設されている。
【００１２】
縦管本体部２１の上部の内周面と、空気芯筒２３の外周面との間には、第１の螺旋案内路２２が配設されている。第１の螺旋案内路２２の内周面は空気芯筒２３の外周面に接合されている。第１の螺旋案内路２２の外周面は縦管本体部２１の内周面に接合されている。
【００１３】
縦管本体部２１の下端には流出管２５が設けられており、流出管２５の管頂のやや上方の縦管本体部２１の内部には、第２の螺旋案内路２２′が配設されている。第２の螺旋案内路２２′の外周面は縦管本体部２１の内周面に接合されている。第２の螺旋案内路２２′には、空気芯筒は取り付けられておらず、中心は空洞とされている。縦管本体部２１内の第１の螺旋案内路２２と第２の螺旋案内路２２′との間には、螺旋案内路は配設されていない。
【００１４】
図２にも示すように、マンホール本体１には、その上部に流入管１１が設けられており、流入管１１の流入口１１１の周囲を囲うような堰１２１と底壁１２２とからなる溜池１２が設けられている。溜池１２の底壁１２２には、縦管本体部２１の上端部が接続される貫通孔１２２ａが設けられ、貫通孔１２２ａの壁面にはゴム輪１２２ｂが装着されている。そして、図３に示すように、マンホール本体１の貫通孔１２２ａ中に、縦管２を挿通するだけで、縦管２の上端部をゴム輪１２２ｂを介して接続することができるようにされている。
【００１５】
溜池１２を構成する堰１２１の形状としては、図４に示すように、平面視略Ｕ字状とされていてもよいし、図５に示すように略角状とされていてもよいし、図６に示すように、略平板状とされていてもよい。
【００１６】
【発明の効果】
本発明の溜池付き組立てマンホールの組立方法は、上記のとおりの構成とされているので、縦管をマンホール本体の壁際に寄せるように施工することができて、マンホール径を小さくすることができ、又、溜池付きマンホール本体を工場で製作することができ、施工現場にて、設置した溜池付きマンホール本体内に縦管を装着するだけで容易に組み立てることができるので、施工性に優れている。
【図面の簡単な説明】
【図１】本発明の溜池付き組立てマンホールの一例の組立て後の状態を示す断面図である。
【図２】図１に示す溜池付き組立てマンホールにおけるマンホール本体の要部を示す断面図である。
【図３】図１に示す溜池付き組立てマンホールの要部を示す断面図である。
【図４】本発明の溜池付き組立てマンホールにおけるマンホール本体の溜池を構成する堰の形状の一例を説明する断面図である。
【図５】本発明の溜池付き組立てマンホールにおけるマンホール本体の溜池を構成する堰の形状の別の例を説明する断面図である。
【図６】本発明の溜池付き組立てマンホールにおけるマンホール本体の溜池を構成する堰の形状の更に別の例を説明する断面図である。
【図７】従来のマンホール内に下水用縦管を配置した状態を説明する一部断面図である。
【符号の説明】
１  マンホール本体
２  縦管
１１  流入管
１２  溜池
２１  縦管本体
２２，２２′  螺旋案内路
２３  空気芯筒
１１１  流入口
１２１  堰
１２２  底壁
１２２ａ  貫通孔
１２２ｂ  ゴム輪
【図１】
0004498588.tif 000002
【図２】
0004498588.tif 000003
【図３】
0004498588.tif 000004
【図４】
0004498588.tif 000005
【図５】
0004498588.tif 000006
【図６】
0004498588.tif 000007
【図７】
0004498588.tif 000008